(57)【要約】【課題】被清掃床面にオゾンが浸透し易く、ダニ、細菌の撲滅効果及び消毒効果を極大化出来、騒音、消費電力、及び排出される微細な塵を低減出来る真空掃除機の提供。【解決手段】吸込形ファン６０を内蔵する本体２０と、塵埃を吸い込む為の吸込口３１を有する吸込ヘッド３０と、吸込形ファン６０の吸気が吸込口３１から本体２０迄通流する吸気通路４２、及び吸込形ファン６０の排気が本体２０から吸込口３０迄通流する排気通路４１を有する管路４０とを備え、吸込形ファン６０の排気が排気通路４１、吸込口３１及び吸気通路４２を循環する排気循環式の真空掃除機。吸込ヘッド３０に配置され、オゾンを発生させるオゾン発生器５０と、排気通路４１に形設されたベンチュリ管５２とを備え、オゾン発生器５０が発生させたオゾンを、ベンチュリ管５２で発生した負圧により、吸込口３１へ供給する構成である。【選択図】図２
2007125379.tif 000002
【特許請求の範囲】
【請求項１】
吸気を発生させる吸込形ファンを内蔵する本体と、塵埃を吸い込む為の吸込口を有する吸込ヘッドと、前記本体及び吸込ヘッド間を接続し、前記吸込形ファンの吸気が前記吸込口から本体迄通流する吸気通路、及び前記吸込形ファンの排気が前記本体から吸込口迄通流する排気通路を有する管路とを備え、前記吸込形ファンの排気が前記排気通路、吸込口及び吸気通路を循環する排気循環式の真空掃除機において、
前記吸込ヘッドに配置され、オゾンを発生させるオゾン発生器と、前記排気通路に形設されたベンチュリ管とを備え、前記オゾン発生器が発生させたオゾンを、前記ベンチュリ管で発生した負圧により、前記吸込口へ供給するように構成してあることを特徴とする真空掃除機。
【請求項２】
吸気を発生させる吸込形ファンを内蔵する本体と、塵埃を吸い込む為の吸込口を有する吸込ヘッドと、前記本体及び吸込ヘッド間を接続し、前記吸込形ファンの吸気が前記吸込口から本体迄通流する吸気通路、及び前記吸込形ファンの排気が前記本体から吸込口迄通流する排気通路を有する管路とを備え、前記吸込形ファンの排気が前記排気通路、吸込口及び吸気通路を循環する排気循環式の真空掃除機において、
オゾンを発生させるオゾン発生器と、該オゾン発生器が発生させたオゾンを、前記排気通路の一部を通じて前記吸込口へ吐出する為のファンとを備え、前記オゾン発生器及びファンは前記吸込ヘッドに配置されていることを特徴とする真空掃除機。
【請求項３】
吸気を発生させる吸込形ファンを内蔵する本体と、塵埃を吸い込む為の吸込口を有する吸込ヘッドと、前記本体及び吸込ヘッド間を接続し、前記吸込口から前記本体迄前記吸込形ファンの吸気が通流する吸気通路とを備える真空掃除機において、
オゾンを発生させるオゾン発生器と、該オゾン発生器が発生させたオゾンを前記吸込口へ吐出する為のファンとを備え、前記オゾン発生器及びファンは前記吸込ヘッドに配置されていることを特徴とする真空掃除機。
【発明の詳細な説明】
【技術分野】
【０００１】
本発明は、真空掃除機に関するもので、特に騒音と消費電力とを抑制しながら微細な塵の排出量を減少させると共に、オゾンを供給して、ダニ、黴、細菌等を撲滅することが出来る真空掃除機に関するものである。
【背景技術】
【０００２】
オゾンには、殺菌及び消毒作用があり、真空掃除機に適用すると、例えば、カーペットに付着しているダニ及び各種細菌類を撲滅することが出来る。この為、従来から本体又は吸込ヘッド側にオゾン発生器を備えた真空掃除機が有り、これらは、オゾン発生器で発生したオゾンが、真空吸込力により吸込口に吸い出される構造となっている。
【特許文献１】韓国特許出願公開１０−２００４−００５８８２６号明細書
【発明の開示】
【発明が解決しようとする課題】
【０００３】
従来の真空掃除機のように、真空吸込力に依存して吸込口に一旦吸い出されたオゾンを更に吸い込む構造の場合、オゾンがカーペットに接する効果が小さく、カーペットに及ぼすダニ、細菌の撲滅効果及び消毒効果が低いという問題がある。また、従来の真空掃除機は、真空吸込力を高める為に大容量モータを採用しており、これが、騒音、消費電力の増加、及び排出される微細な塵の増加の原因になっていた。
【０００４】
本発明は、上述したような事情に鑑みてなされたものであり、第１発明では、排気循環式を採用し、ベンチュリ効果を利用して、被清掃床面にオゾンが浸透し易く、ダニ、細菌の撲滅効果及び消毒効果を極大化出来、騒音、消費電力、及び排出される微細な塵を低減出来る真空掃除機を提供することを目的とする。
第２発明では、排気循環式を採用し、オゾンを吐出する為のファンを備えることにより、被清掃床面にオゾンが浸透し易く、ダニ、細菌の撲滅効果及び消毒効果を極大化出来、騒音、消費電力、及び排出される微細な塵を低減出来る真空掃除機を提供することを目的とする。
第３発明では、オゾンを吐出する為のファンを備えることにより、被清掃床面にオゾンが浸透し易く、ダニ、細菌の撲滅効果及び消毒効果を極大化出来、騒音、消費電力、及び排出される微細な塵を低減出来る真空掃除機を提供することを目的とする。
【課題を解決するための手段】
【０００５】
第１発明に係る真空掃除機は、吸気を発生させる吸込形ファンを内蔵する本体と、塵埃を吸い込む為の吸込口を有する吸込ヘッドと、前記本体及び吸込ヘッド間を接続し、前記吸込形ファンの吸気が前記吸込口から本体迄通流する吸気通路、及び前記吸込形ファンの排気が前記本体から吸込口迄通流する排気通路を有する管路とを備え、前記吸込形ファンの排気が前記排気通路、吸込口及び吸気通路を循環する排気循環式の真空掃除機において、前記吸込ヘッドに配置され、オゾンを発生させるオゾン発生器と、前記排気通路に形設されたベンチュリ管とを備え、前記オゾン発生器が発生させたオゾンを、前記ベンチュリ管で発生した負圧により、前記吸込口へ供給するように構成してあることを特徴とする。
【０００６】
この真空掃除機では、本体が、吸気を発生させる吸込形ファンを内蔵し、吸込ヘッドが、塵埃を吸い込む為の吸込口を有している。本体及び吸込ヘッド間を接続する管路が、吸込形ファンの吸気が吸込口から本体迄通流する吸気通路、及び吸込形ファンの排気が本体から吸込口迄通流する排気通路を有し、吸込形ファンの排気が排気通路、吸込口及び吸気通路を循環する。オゾンを発生させるオゾン発生器が、吸込ヘッドに配置され、ベンチュリ管が排気通路に形設されており、ベンチュリ管で発生した負圧により、オゾン発生器が発生させたオゾンを吸込口へ供給する。
【０００７】
第２発明に係る真空掃除機は、吸気を発生させる吸込形ファンを内蔵する本体と、塵埃を吸い込む為の吸込口を有する吸込ヘッドと、前記本体及び吸込ヘッド間を接続し、前記吸込形ファンの吸気が前記吸込口から本体迄通流する吸気通路、及び前記吸込形ファンの排気が前記本体から吸込口迄通流する排気通路を有する管路とを備え、前記吸込形ファンの排気が前記排気通路、吸込口及び吸気通路を循環する排気循環式の真空掃除機において、オゾンを発生させるオゾン発生器と、該オゾン発生器が発生させたオゾンを、前記排気通路の一部を通じて前記吸込口へ吐出する為のファンとを備え、前記オゾン発生器及びファンは前記吸込ヘッドに配置されていることを特徴とする。
【０００８】
この真空掃除機では、本体が、吸気を発生させる吸込形ファンを内蔵し、吸込ヘッドが、塵埃を吸い込む為の吸込口を有している。本体及び吸込ヘッド間を接続する管路が、吸込形ファンの吸気が吸込口から本体迄通流する吸気通路、及び吸込形ファンの排気が本体から吸込口迄通流する排気通路を有し、吸込形ファンの排気が排気通路、吸込口及び吸気通路を循環する。オゾン発生器及びファンが吸込ヘッドに配置され、オゾン発生器は、オゾンを発生させ、ファンは、オゾン発生器が発生させたオゾンを、排気通路の一部を通じて吸込口へ吐出する。
【０００９】
第３発明に係る真空掃除機は、吸気を発生させる吸込形ファンを内蔵する本体と、塵埃を吸い込む為の吸込口を有する吸込ヘッドと、前記本体及び吸込ヘッド間を接続し、前記吸込口から前記本体迄前記吸込形ファンの吸気が通流する吸気通路とを備える真空掃除機において、オゾンを発生させるオゾン発生器と、該オゾン発生器が発生させたオゾンを前記吸込口へ吐出する為のファンとを備え、前記オゾン発生器及びファンは前記吸込ヘッドに配置されていることを特徴とする。
【００１０】
この真空掃除機では、本体が、吸気を発生させる吸込形ファンを内蔵し、吸込ヘッドが、塵埃を吸い込む為の吸込口を有している。本体及び吸込ヘッド間を接続する吸気通路を、吸込形ファンの吸気が通流する。オゾン発生器及びファンが吸込ヘッドに配置され、オゾン発生器は、オゾンを発生させ、ファンは、オゾン発生器が発生させたオゾンを吸込口へ吐出する。
【発明の効果】
【００１１】
第１発明に係る真空掃除機によれば、排気循環式を採用し、ベンチュリ効果を利用することにより、被清掃床面にオゾンが浸透し易く、ダニ、細菌の撲滅効果及び消毒効果を極大化出来、騒音、消費電力、及び排出される微細な塵を低減出来る真空掃除機を実現することが出来る。
【００１２】
第２発明に係る真空掃除機によれば、排気循環式を採用し、オゾンを吐出する為のファンを備えることにより、被清掃床面にオゾンが浸透し易く、ダニ、細菌の撲滅効果及び消毒効果を極大化出来、騒音、消費電力、及び排出される微細な塵を低減出来る真空掃除機を実現することが出来る。
【００１３】
第３発明に係る真空掃除機によれば、オゾンを吐出する為のファンを備えることにより、被清掃床面にオゾンが浸透し易く、ダニ、細菌の撲滅効果及び消毒効果を極大化出来、騒音、消費電力、及び排出される微細な塵を低減出来る真空掃除機を実現することが出来る。
【発明を実施するための最良の形態】
【００１４】
以下に、本発明をその実施の形態を示す図面に基づき説明する。
（実施の形態１）
図１は、本発明に係る真空掃除機の実施の形態１の外観を示し、一部を透視して示す斜視図であり、図２は、図１に示す真空掃除機のオゾン及び空気の流通経路を示す説明図である。
この真空掃除機１０Ａは、吸込形ファン６０を内蔵する真空掃除機の本体２０と、床面上を滑りつつ塵埃を吸い込む吸込口３１を有する吸込ヘッド３０と、真空掃除機の本体２０及び吸込ヘッド３０間を接続し、一部に折り曲げ自在なフレキシブルホースを有する管路４０とを備えている。管路４０の中途には、ユーザが保持する為の直管部が設けてあり、その直管部には、真空掃除機１０Ａをオン／オフする操作スイッチ４３が設けてある。
【００１５】
管路４０の内部は、排気通路４１と吸気通路４２とが分離形成されている。排気通路４１及び吸気通路４２は、管路４０内に別途のフレキシブルホースを配置したり、管路４０内に別途２本の流通路を形成したりすることにより設けることが出来る。
真空掃除機の本体２０に内設された吸込形ファン６０は、弱、中、強の３段階で作動出来るようになっている。吸込形ファン６０は、その吸込口が図示しない集塵用フィルタを介して吸気通路４２と接続され、その排出口が排気通路４１と接続され、図２に示すように、空気（排気）が、排気通路４１、吸込口３１、吸気通路４２及び吸込形ファン６０の経路で循環するようになっている。集塵用フィルタは、吸気を濾過して吸気に含まれる塵埃を捕集する。
【００１６】
吸込ヘッド３０の上面には、オゾンを発生させるオゾン発生器５０が着設されている。オゾン発生器５０には、グラス又はセラミックス放電管の内部に高電圧を印加して、オゾンを発生させる無声放電方式、又は酸素に紫外線ランプ等から紫外線を照射して、オゾンを発生させる光化学反応方式を選択することが出来る。
【００１７】
オゾン発生器５０の出口は、排気通路４１の末端近くに形設されたベンチュリ管５２の狭小部に、連絡管５４により接続されている。ベンチュリ管５２は、図３に模式的に示すように、排気通路４１の中途に設けられた狭小部で空気の流速が増加することで発生した負圧により、オゾン発生器５０からのオゾンが排気通路４１へ吸い出されるように構成されており、霧吹きと同様の原理で作用する。排気通路４１へ吸い出されたオゾンは、排気と共に吸込口３１へ吐出される。
真空掃除機１０Ａは、排気循環式及びベンチュリ管５２を採用することにより、吸込形ファン６０の容量を従来に比べて１／５〜１／３に低減させることが出来るので、騒音、消費電力及び微細な塵の排出量を低減させることが出来る。
【００１８】
以下に、このような構成の真空掃除機１０Ａの動作を説明する。
ユーザは、先ず、掃除しようとする例えばカーペット、布団、ソファ−等に吸込ヘッド３０の吸込口３１を持って行き、管路４０の直管部に設けられた操作スイッチ４３を操作して、吸込形ファン６０及びオゾン発生器５０を起動させる。
これにより、オゾン発生器５０からオゾンが発生すると共に、吸込形ファン６０が回転駆動することにより吸気通路４２には吸引力が発生して、吸込口３１で空気が吸い込まれる。吸い込まれた空気は、吸気通路４２、吸込形ファン６０の排出口及び排気通路４１を経由して、吸込ヘッド３０の吸込口３１に排出され、排出された空気（排気）は、再度、同様に吸い込まれ、吸気通路４２、吸込形ファン６０の排出口、排気通路４１及び吸込口３１の経路で循環する。また、上述した集塵用フィルタで塵埃が除去される。
【００１９】
このとき、排気通路４１を流れる空気（排気）の流速が、ベンチュリ管５２の狭小部により上昇することで、ベンチュリ管５２の狭小部及び連絡管５４には圧力降下が発生する。これによる負圧により、オゾン発生器５０で発生したオゾンが、出口から連絡管５４を通じてベンチュリ管５２内へ吸い出されて、排気通路４１の末端部を通じて吸込口３１に吐出され供給される。
このように、吸込形ファン６０が作動している期間は、継続的に吸込口３１にオゾンが吐出供給されるので、吸込口３１に接する部分は、オゾンに効率良く曝され、殺菌消毒作用を得ることが出来る。
【００２０】
（実施の形態２）
図４は、本発明に係る真空掃除機の実施の形態２のオゾン及び空気の流通経路を示す説明図である。
この真空掃除機１０Ｂは、吸込形ファン６０を内蔵する真空掃除機の本体２０と、床面上を滑りつつ塵埃を吸い込む吸込口３１を有する吸込ヘッド３０と、真空掃除機の本体２０及び吸込ヘッド３０間を接続し、一部に折り曲げ自在なフレキシブルホースを有する管路である吸気通路４２ａとを備えている。
【００２１】
真空掃除機の本体２０に内設された吸込形ファン６０は、その吸込口が図示しない集塵用フィルタを介して吸気通路４２ａと接続され、その排出口が本体２０の排気口２２と接続され、図４に示すように、吸込口３１で吸い込まれた空気は、吸気通路４２ａ、吸込形ファン６０及び排気口２２の経路で排出されるようになっている。集塵用フィルタは、吸気を濾過して吸気に含まれる塵埃を捕集する。
【００２２】
吸込ヘッド３０の上面には、オゾンを発生させるオゾン発生器５０と、オゾン発生器５０が発生させたオゾンを押し出して吸込口３１内に吐き出す為のファン１００とが着設されている。ファン１００は、小型であり、その電源は、独立的に充電される蓄電池、又は本体２０の電源部とすることが出来る。また、オゾン発生器５０及びファン１００は、分離した構成又は一体とした構成の何れかを選択することが出来る。
本発明に係る真空掃除機の実施の形態２のその他の構成は、図１，２に示す実施の形態１の構成と同様であるので、同一箇所には同一符号を付して、説明を省略する。
【００２３】
以下に、このような構成の真空掃除機１０Ｂの動作を説明する。
ユーザは、先ず、掃除しようとする例えばカーペット、布団、ソファ−等に吸込ヘッド３０の吸込口３１を持って行き、吸気通路４２ａの直管部に設けられた操作スイッチ４３（図１）を操作して、吸込形ファン６０、オゾン発生器５０及びファン１００を起動させる。
これにより、オゾン発生器５０からオゾンが発生すると共に、吸込形ファン６０が回転駆動することにより吸気通路４２ａには吸引力が発生して、吸込口３１で空気が吸い込まれる。吸い込まれた空気は、吸気通路４２ａ、及び吸込形ファン６０の排出口を経由して、排気口２２から排出される。また、上述した集塵用フィルタで塵埃が除去される。
【００２４】
このとき、オゾン発生器５０が発生させたオゾンは、ファン１００による送風で押し出され、図４に示すように、吸込口３１に吐出され供給される。送風により、吸込口３１に接する部分に付着している塵埃及び異物が浮き上がり、吸込形ファン６０の吸引力により、上述した集塵用フィルタ内に誘導されるので、吸込形ファン６０の容量を小さくすることができる。また、吸込口３１と接する部分は、オゾンに曝されるので殺菌消毒作用を期待することが出来る。
【００２５】
以上のように、真空掃除機１０Ｂは、吸込形ファン６０の容量を小さくすることが出来るので、騒音及び消費電力を低減させることが出来る。また、オゾンが吸込ヘッド３０の吸込口３１に噴出（吐出）されるので、吸込口３１と接する部分は、オゾンに効率良く曝され殺菌消毒効果が向上する。
尚、本実施の形態２では、非循環式の真空掃除機にオゾン発生器５０及びファン１００を適用した形態を説明したが、実施の形態１で説明した排気循環式の真空掃除機に、ベンチュリ管５２に代えてファン１００を適用することも可能である。この場合、オゾン発生器５０が発生させたオゾンを、ファン１００の送風により排気通路４２の一部を通じて吸込口３１へ吐出させるように構成する。
【図面の簡単な説明】
【００２６】
【図１】本発明に係る真空掃除機の実施の形態１の外観を示し、一部を透視して示す斜視図である。
【図２】図１に示す真空掃除機のオゾン及び空気の流通経路を示す説明図である。
【図３】図１に示す真空掃除機の吸込ヘッド内の空気の流通経路を模式的に示す説明図である。
【図４】本発明に係る真空掃除機の実施の形態２のオゾン及び空気の流通経路を示す説明図である。
【符号の説明】
【００２７】
１０Ａ，１０Ｂ  真空掃除機
２０  （真空掃除機の）本体
３０  吸込ヘッド
３１  吸込口
４０  管路
４１  排気通路
４２，４２ａ  吸気通路
５０  オゾン発生器
５２  ベンチュリ管
５４  連絡管
６０  吸込形ファン
１００  ファン
【図１】
2007125379.tif 000003
【図２】
2007125379.tif 000004
【図３】
2007125379.tif 000005
【図４】
2007125379.tif 000006